Podtech/llm-jp-corpus-v4-ja_patent huggingface dataset:
(57)【要約】      （修正有）【課題】略名刺大のカード状薄板と一本の爪楊枝を応用して箸置きとして利用する。【解決手段】扁平に復元する紙、竹、木、合成樹脂又は合金からなる略名刺大のカード状薄板１０の、両短辺外縁部の中央に孔２０、２１をそれぞれ一ヶ所穿設して、薄板１０を円筒状に丸め、孔２０から孔２１に一本の爪楊枝３０を尖端から通過させ、円筒状に丸めた力を解放したとき、薄板１０の扁平に復元する力とそれに抗する爪楊枝３０により薄板１０と爪楊枝３０が、一定の形状で係止した状態を応用して箸置きとして利用することにより解決した。【選択図】図３
0003135698.tif 000002
【実用新案登録請求の範囲】
【請求項１】
扁平に復元する紙、竹、木、合成樹脂又は合金からなる略名刺大のカード状薄板の、両短辺外縁部の中央に孔をそれぞれ一ヶ所穿設して、該薄板を円筒状に丸め、該穿設された二つの孔を重ねて一本の爪楊枝を尖端から通過させ、該円筒状に丸めた力を解放したとき、該薄板の扁平に復元する力とそれに抗する爪楊枝により該薄板と該爪楊枝が、一定の形状で係止した状態を応用して箸置きとして利用することを特徴とする箸置き。
【考案の詳細な説明】
【技術分野】
【０００１】  本考案は、略名刺大のカード状薄板と一本の爪楊枝を応用した箸置きに関するものである。
【背景技術】
【０００２】  略名刺大のカード状薄板と一本の爪楊枝を応用した箸置きは今までになかった。
【考案の開示】
【考案が解決しようとする課題】
【０００３】  飲食店などには爪楊枝が置かれているが、包装されてない爪楊枝を容器に入れて提供している店で飲食者は、爪楊枝を取り出すとき何本かの爪楊枝の頭部に飲食者の指が接触し、次に爪楊枝を取り出す飲食者は前者と同様の行動をするため取り出す爪楊枝の尖端が、複数の飲食者の指が接触した爪楊枝の頭部に接触する可能性は高い。【０００４】  そして、包装されてない爪楊枝を容器の中に横に寝かせて置かれている飲食店では、爪楊枝を尖端のほうから取り出す飲食者や、容器から落とした爪楊枝を元の容器に戻す飲食者など、不特定多数の人が利用するので清潔感には程遠い。【０００５】    また、カウンターなどで飲食すると、目の前に爪楊枝の容器が置いてないときがあり、爪楊枝を取るため隣で飲食中の人の前に腕を伸ばして取らなければならず不快感を与えることもある。【０００６】  一方、箸置きを提供している飲食店では、陶磁器などでできた箸置きに付いた煮汁などの汚れを洗う手間と労力が掛かるばかりでなく、箸置きを壊したり持ち去られることもある。
【課題を解決するための手段】
【０００７】  本考案の箸置きは、略名刺大のカード状薄板と一本の爪楊枝を応用して箸置きとして利用するものであって、扁平に復元する紙、竹、木、合成樹脂又は合金からなる略名刺大のカード状薄板の、両短辺外縁部の中央に一本の爪楊枝が通過しうる孔をそれぞれ一ヶ所穿設することを特徴としている。【０００８】  本考案の箸置きは、前記薄板を円筒状に丸め、穿設された孔を重ね、両孔に一本の爪楊枝を尖端から通過させることを特徴としている。【０００９】  本考案の箸置きは、前記薄板を円筒状に丸め、前記穿設された両孔を重ね、両孔に一本の爪楊枝を尖端から通過させた状態で、該円筒状に丸めた力を解放したとき、前記薄板の扁平に復元しようとする力とそれに抗する該爪楊枝により該薄板と該爪楊枝が、一定の形状で係止した状態を応用して箸置きとすることを特徴としている。
【考案の効果】
【００１０】  本考案の効果は、扁平に復元する紙、竹、木、合成樹脂又は合金からなる略名刺大のカード状薄板と一本の爪楊枝を応用して箸置きとして提供することにより、該爪楊枝の尖端は円筒状に丸めたカード状薄板の中に納まっているので、該薄板と該爪楊枝を飲食店側が前以ってセットしておけば不特定多数の飲食者に触れられることはなく、さらに、テーブルに調味料や煮汁などこぼしたりしても該爪楊枝の尖端は円筒状の略中央にあるので汚れることなく衛生的でもある。【００１１】  飲食店としては、前記薄板の両面にポイントカードや割引券、半額券など宣伝用に、また、名刺として印刷して活用でき、飲食者の財布や名刺入れなどに携帯してもらえるので利用価値は大きい。【００１２】  そして、陶磁器などの箸置きを提供する飲食店では、箸置きを洗う手間と労力が省け、壊すこともなく持ち去られることも防げる。
【考案を実施するための最良の形態】
【００１３】  以下、本考案を説明すると、図１は、略名刺大のカード状薄板の平面図であり、場所も取らず嵩張らないため輸送に便利なばかりでなく、爪楊枝も市販のものを使用すればよく廉価に提供できる。
【実施例】
【００１４】図２は、扁平に復元する紙、竹、木、合成樹脂又は合金からなる略名刺大のカード状薄板１０の、両短辺外縁部の中央に孔２０、２１をそれぞれ一ヶ所穿設して、薄板１０を円筒状に丸め、孔２０から孔２１に一本の爪楊枝３０を尖端から通過させ、該円筒状に丸めた力を解放したとき薄板１０の扁平に復元する力とそれに抗する爪楊枝３０により薄板１０と爪楊枝３０が、一定の形状で係止した状態の全体斜視図である。【００１５】  薄板１０に凹凸や損傷等がなく最初に提供した状態と同じであれば洗浄後の再利用も可能である。【００１６】  穿設された孔２０，２１は、薄板１０を円筒状に丸め、孔２０から孔２１に一本の爪楊枝３０を尖端から通過させ、円筒状に丸めた力を解放したとき薄板１０と爪楊枝３０が、一定の形状で係止する状態で薄板１０を箸置きとして載置したとき、薄板１０の底辺と上辺が平行となれば、両短辺の外縁あるいは中央以外に穿孔してもよい。【００１７】  孔２０，２１は、包装された爪楊枝が通過できるよう穿孔すれば包装された爪楊枝であってもよい。【００１８】カード状薄板は、薄板であれば他の形状であってもよい。【００１９】  また、使用する爪楊枝は、市販の爪楊枝以外の、例えば、四角形や多角形の形状の爪楊枝であってもよく、プラスチック、竹、その他の材質であってもよい。
【図面の簡単な説明】
【００２０】
【図１】は、薄板１０の平面図である。
【図２】は、薄板１０を円筒状に丸め、孔２０から孔２１に一本の爪楊枝３０を尖端から通過させ、円筒状に丸めた力を解放したとき薄板１０と爪楊枝３０が、一定の形状で係止する状態を示す全体斜視図である。
【図３】は、［図２］に割箸を載置したときの斜視図である。
【符号の説明】
【００２１】  １０・・・・・・・・・・薄板
２０、２１・・・・・・・孔
３０・・・・・・・・・・爪楊枝
４０・・・・・・・・・・割箸
【図１】
0003135698.tif 000003
【図２】
0003135698.tif 000004
【図３】
0003135698.tif 000005
(57)【要約】【課題】床板と側板との角部分に積載物が蓄積するのを防止し、スゥエーデン鋼等の超鋼材であっても容易に使用できる荷箱を提供する。【解決手段】トラックの荷箱２は、横断面において、床板３と側板４、４とが交わる角部分７、７が、直角ではなく、多角形の形状に湾曲して形成されている。【選択図】図３
0003135815.tif 000002
【実用新案登録請求の範囲】
【請求項１】
トラックの荷箱であって、
荷箱の前後方向を横切る荷箱の横断面において、該荷箱の床板と側板とが交わる角部分が、直角ではなく、多角形の形状に湾曲して形成されている、ことを特徴とする荷箱。
【請求項２】
請求項１に記載の荷箱において、前記角部分の横断面は、四分の一円を１５度の外角で隣接する多角形で形成する形状である、ことを特徴とする荷箱。
【請求項３】
請求項２に記載の荷箱において、前記角部分は荷箱横断面に一対形成されており、荷箱横断面の形状が全体として鍋底形状である、ことを特徴とする荷箱。
【請求項４】
請求項１〜３のいずれか１項に記載の荷箱において、荷箱の前記床板及び側板がスゥエーデン鋼等の超鋼板材料で成る、ことを特徴とする荷箱。
【考案の詳細な説明】
【技術分野】
【０００１】
本考案は、ダンプトラック等のトラックの荷箱に関する。
【背景技術】
【０００２】
トラックの荷箱には、種々の積載物が載せられる。ダンプトラック等の積載量の多い荷箱は、高い剛性を得るため、鋼板で形成されることが多い。荷箱は、それ自体が軽量であることが求められる。例えば、アルミニウム等の軽金属が用いられることもあるが、積載量が多いダンプトラックには剛性の点で適していない。従って、多くのダンプトラック等には鋼板製の荷箱が取付けられる。スゥエーデン鋼と呼ばれる超鋼材が知られており、荷箱を薄いスゥエーデン鋼製板を用いることによって軽量化と高い剛性を得ることができるが、材料が高価であるだけでなく、床板と側板との角部分を直角に曲げるとひびや割れが生じるおそれがある。
【考案の開示】
【考案が解決しようとする課題】
【０００３】
荷箱は、その横断面において床板と側板との角部分は直角をなしている。例えば、ダンプトラックの荷箱において、その直角の角部分に土等の粘性の高い積載物が蓄積して、荷降ろし後の積載物の積載量を少なくすることがある。このことは、鋼板製の荷箱であっても、アルミニウム製荷箱であっても同様である。
【０００４】
従って、本考案の目的は、床板と側板との角部分に積載物が蓄積するのを防止し、スゥエーデン鋼等の超鋼材であっても利用できる荷箱を提供することにある。
【課題を解決するための手段】
【０００５】
かかる目的を達成するため、本考案に係る、トラックの荷箱は、荷箱の前後方向を横切る荷箱の横断面において、該荷箱の床板と側板とが交わる角部分が、直角ではなく、多角形の形状に湾曲して形成されている、ことを特徴とする。
【０００６】
上記荷箱において、角部分の横断面は、四分の一円を１５度の外角で隣接する多角形で形成する形状であるのが好ましい。前記角部分は荷箱横断面に一対形成されており、荷箱横断面の形状が全体として鍋底形状に形成されるのが好ましい。荷箱は、床板及び側板をスゥエーデン鋼等の超鋼板材料で形成できる。
【０００７】
上記の荷箱の構造によって、角部分が多角形の湾曲形状であるので、角部分には、土等の粘性の高い積載物であっても、付着し蓄積することがなくなり、荷箱へは常時最大積載量の積載物を載せることができる。また、荷箱へ土砂等の積載物を落下させた場合には、角部分の湾曲した傾斜によって、荷箱中央に積載物が自動的に寄せられ、更に、上からの積載物の荷重に対して、角部分の湾曲した傾斜で負荷が分散して、負荷の集中に伴なう部分的な破損が減少する。そして、角部分の多角形の湾曲は、積載物による角部分への集中応力を防止して、角部分への損傷又は破損のおそれを少なくする。荷箱は、スゥエーデン鋼等の超鋼材料であっても、直角に曲げるようなひびや割れはなくなり、簡単な形状で破損のおそれなく形成できる。そして、かかる超鋼板の薄い板金を床板や側板に利用することによって、荷箱の軽量化を達成でき、剛性を高いままに維持できる。
【考案を実施するための最良の形態】
【０００８】
以下、図面を参照して、本考案の１実施形態に係る荷箱について説明する。図１に図示のように、トラック１の荷箱２は、床板３と、左右の側板４と、前部のフロントゲート５と、後部のリアゲート６とから形成される。
【０００９】
図２は、荷箱２を単独で示している。図３は、図２の荷箱２のＡ−Ａ線断面図である。図２及び図３において、荷箱２は、その前後方向（図２の左右方向）を横切る横断面において、荷箱２の床板３と側板４とが交わる角部分７が、直角ではなく、多角形の形状に湾曲して形成されている。
【００１０】
荷箱２において、角部分７の横断面は、四分の一円を、１５度の外角８で隣接する多角形形状に形成される。角部分７の多角形の湾曲形状を形成する１つのやり方は、床板３と２つの側板４を形成する幅と荷箱２の長さとを有する平板を、例えば、２つの角部分７のそれぞれにおいて、前後方向には荷箱２の長さに延びるアンビルとパンチで、横断面方向に１５度の外角８で多角形をなすように、例えば６回曲げることによって行う。
【００１１】
角部分７は、図３に図示のように、荷箱横断面において、一対形成されており、荷箱横断面の形状が全体として鍋底形状に形成される。角部分７、７には、土等の粘性の高い積載物であっても、付着して蓄積することがなくなる。荷箱へ土砂等の積載物を落下させた場合、角部分７の湾曲した傾斜によって、荷箱２の中央に積載物が自動的に寄せられる。更に、上からの積載物の荷重に対して、角部分の湾曲した傾斜で負荷が分散して、負荷の集中に伴なう部分的な破損も減少する。角部分７が多角形に湾曲しているので、積載物による角部分への集中応力を防止して、角部分への損傷又は破損のおそれを少なくする。
【００１２】
荷箱２の材料は、スゥエーデン鋼に代表される超鋼材料の薄い板金を用いることができる。角部分７が、直角に曲げられず、多角形の形状で湾曲しているので、曲げ加工の際にもひびや割れを生じることがなくなるからである。これによって、スゥエーデン鋼等の超鋼材であっても荷箱の材料として利用でき、荷箱２の軽量化と高い剛性とを得ることができる。更に、長いトラックにおける側板の場合の桟も、荷箱２の構造が簡単で剛性が高いため、少なくできる。
【図面の簡単な説明】
【００１３】
【図１】本考案に係る荷箱の構造を適用できる、トラックの斜視図である。
【図２】本考案に係る荷箱の正面図である。
【図３】図２の荷箱のＡ−Ａ線断面図である。
【符号の説明】
【００１４】
１  トラック
２  荷箱
３  床板
４  側板
５  フロントゲート
６  リアゲート
７  角部分
【図１】
0003135815.tif 000003
【図２】
0003135815.tif 000004
【図３】
0003135815.tif 000005
(57)【要約】      （修正有）【課題】フローリング床上での工事で足裏を冷やさず、フローリング床に疵をつけないようにした工事用足裏保温カバーを提供する。【解決手段】柔軟性、伸縮性のある足カバーの内側底部に保温性のある断熱材を貼り付け、足裏が冷えないようにしフローリング床に疵をつけないようにした。このため、工事現場に出入りの際、脱着が簡単にできるようになる。【選択図】図２
0003135858.tif 000002
【実用新案登録請求の範囲】
【請求項１】
柔軟性、伸縮性のある素材の足カバー１の内側底部に保温性のある断熱材２を貼り付けた、フローリング床上での工事用足裏保温カバー。
【考案の詳細な説明】
【考案の詳細な説明】
【考案が解決しようとする課題】
【０００１】  マンションや戸建住宅のフローリング床完成後に、電気設備、通信設備、キッチン設備その他の設備工事を施工する際、ゴム底の靴やスリッパを履くと完成したフローリング床に疵がついたり、こすり跡がつくため、建築会社より靴やスリッパの使用を制限され、靴下のみでの作業を求められるが、新設のフローリング床は想像以上に冷たく、靴下のみでの作業には足裏の冷えによる苦痛があり、健康にも問題があった。
【課題を解決するための手段】
【０００２】  上記問題を解決するため、柔軟性、伸縮性のある素材の足カバーの内側底部に保温性のある断熱材を貼り付けることにより、足裏の冷えを防止できるようにした。
また、新しいフローリング床を疵つけない為と工事現場への出入りの際、簡単に脱着できるよう、フローリング床上での工事用足裏保温カバーには柔軟性、伸縮性のある素材を使用した。
【考案の効果】
【０００３】  足裏の冷えを防止することにより、フローリング床上での工事が快適にできるようになり、健康への障害を防止し、フローリング床を疵つけることなく工事をすることができ便利である。
【図面の簡単な説明】
【図１】フローリング床上での工事用足裏保温カバーを足につけた斜視図
【図２】フローリング床上での工事用足裏保温カバーを足につけた断面図
【符号の説明】
１  フローリング床上での工事用足裏保温カバー
２  断熱材
３  足
４  靴下
【図１】
0003135858.tif 000003
【図２】
0003135858.tif 000004
(57)【要約】【課題】故人の供養の対象となる記念物を装身具にすることにより個人の供養と本人の精神的な支えとするものである。【解決手段】貴金属製の外枠１と埋封部２、３とからなりこの埋封部には記念物として遺骨、遺髪、爪、  愛玩動物の骨、毛、爪、牙を透明の光硬化型化学合成樹脂と紫外線照射装置によって密封硬化させ装飾品としたものである。【選択図】図１
0003135853.tif 000002
【実用新案登録請求の範囲】
【請求項１】
貴金属製の外枠と該外枠内に埋設される埋封部とからなる記念物埋封型リングであって前記埋封部は記念物を光硬化型化学合成樹脂と紫外線照射装置によって埋封し硬化されてなることを特徴とする記念物埋封型リングである。
【請求項２】
前記光硬化型化学合成樹脂は透明であることを特徴とする請求項１記載の記念物埋封型リングである。
【考案の詳細な説明】
【技術分野】
【０００１】  本考案は人間の遺骨や遺髪、愛玩動物の骨、毛などを記念物として記念物埋封型リングに埋封した装飾品である。
【背景技術】
【０００２】  人間の遺骨や遺髪、愛玩動物の骨、毛などを自宅に保管したり細かくしてペンダントに納めたりお守り袋に入れて持ち歩いているが、温度湿度により変色や劣化があった。
【考案の開示】
【考案が解決しようとする課題】
【０００３】  少子化  核家族化が進む近年、墓や仏壇を持たない人が増えている。しかし、故人を偲びたい、語りかけたい、守ってもらいたいと願う満足できる対象物がなかった。【０００４】  遺骨  遺髪などの記念物をそのままのカタチで持ち歩くと他人の目を気にすることがある。又、変色  劣化が懸念される。
【課題を解決するための手段】
【０００５】  近年葬送に変化がみられるが、故人の供養方法も多様化している。従来のしきたりよりも、故人らしい、自分らしい供養方法を選択する人に商品を提供することにより満足感を感じてもらうものである。【０００６】  記念物を装飾品にすることにより、変色  劣化からの保護ができ、外観から容易に視認できるが第三者には容易に識別が困難である。
【考案の効果】
【０００７】  本考案は装飾品を普段身に付けて、いつでも、どこででも手を合わせられる対象物としたものであり、精神的な支え、癒しを得ることができる。【０００８】  本考案は記念物を光硬化型化学合成樹脂で埋封することにより記念物を保護し又、記念物を視認できるものである。
【考案を実施するための最良の形態】
【０００９】  本考案において貴金属製の外枠として例えば金、銀、プラチナ或はこれらの金属の合金を使用する事ができる。埋封される記念物としては例えば遺骨、毛髪、爪、愛玩動物の骨、毛、爪、牙などが挙げられる。【００１０】  本考案に係る埋封部は記念物を密封し透明な光硬化型化学合成樹脂と紫外線装置によって埋封保存するものである。
【実施例】
【００１１】  遺骨、遺髪  愛玩動物の骨、毛、牙を埋封した記念物埋封型リングを作製するものである。【００１２】  図２は記念物埋封型リングをロケットペンダントに収納した実施例であるが、本来のロケットペンダントの役割である写真を収納する性格を利用し組み合わせたものである。
【図面の簡単な説明】
【００１３】
【図１】  本考案に係る記念物を光硬化型化学合成樹脂で密封埋封した記念物埋封型リングの正面図である。
【図２】  本考案に係る記念物埋封型リングをロケットペンダントに収納したときの実施例を示したものである。
【符号の説明】
【００１４】  １  貴金属製外枠
２  遺骨、遺髪  爪、愛玩動物の骨、毛、爪、牙などの記念物
３  光硬化型化学合成樹脂
４  ロケットペンダント本体
５  写真挿入箇所
【図１】
0003135853.tif 000003
【図２】
0003135853.tif 000004
(57)【要約】      （修正有）【課題】設置場所の制限がなく、安定して固定できる。【解決手段】小動物用餌入れの後側にねじを通す穴を設け、取り外し可能なねじ式とめ具を穴から通しケージに取り付け固定することで、ケージ内の多くの場所に餌入れを設置することが可能となり、飼い主の意向をより反映することを可能にしている。また、小動物用餌入れの底面にねじを通す穴を設け、取り外し可能なねじ式とめ具を穴から通し、ケージに設置することでケージ上に固定し安定させて置くことを可能にしている。【選択図】図１
0003135854.tif 000002
【実用新案登録請求の範囲】
【請求項１】
小動物用の餌入れの後側または底にねじを通す穴を設け、取り外し可能なねじ式とめ具を穴から通し固定することで、小動物用ケージ等多くの場所に餌入れを装着する事を可能とした事を特徴とする、取り外し可能なねじ式とめ具付き小動物用餌入れ。
【考案の詳細な説明】
【技術分野】
【０００１】  本考案は小動物用餌入れの後側または底にねじを通す穴を設け、取り外し可能なねじ式とめ具を設けた小動物用餌入れに関するものである。
【背景技術】
【０００２】  小鳥の餌入れに餌または副食を入れケージ内に餌を与える際、市販されている引っ掛けるタイプの餌入れではケージ内の設置場所が制限される。
小鳥を室内で放鳥しケージ上に器型餌入れを置く際、固定されてなく不安定である。
【考案の開示】
【考案が解決しようとする課題】
【０００３】  多くの市販されている小鳥のケージ内に餌または副食を餌入れに入れ与える際、引っ掛けるタイプの餌入れでは引っ掛ける場所が必要なため、餌入れの設置場所を制限されてしまう。また、小鳥を室内で放鳥し餌を与えるためケージ上に器型の餌入れを置く際、固定されてなく不安定である。小動物用取り外し可能なねじ式とめ具付き餌入れは、前記の問題点を解決しようとするものである。
【課題を解決するための手段】
【０００４】  本考案は小動物用餌入れの後側または底にねじを通す穴を設け、取り外し可能なねじ式とめ具を設けた小動物用餌入れにすることによって上記の問題点を解決している。
【考案の効果】
【０００５】  上述のように本考案の小動物用取り外し可能なねじ式とめ具付き餌入れは、後側にねじを通す穴を設け、取り外し可能なねじ式とめ具を穴から通しケージに取り付け固定することでケージ内の多くの場所に餌入れを設置することを可能にしている。また、底にねじを通す穴を設け、取り外し可能なねじ式とめ具を穴から通し設置することでケージ上に器型の餌入れを固定して設置することを可能にしている。
【図面の簡単な説明】
【０００６】
【図１】本考案の餌入れの後側にねじを通す穴を設けた小動物用取り外し可能とめ具付き餌入れの図面である。
【図２】本考案の餌入れの底にねじ穴を通す穴を設けた小動物用取り外し可能とめ具つき餌入れ（器型）の図面である。
【符号の説明】
【０００７】１  ねじを通す穴（後側、底）
２  取り外し可能なねじ式とめ具
【図１】
0003135854.tif 000003
【図２】
0003135854.tif 000004
(57)【要約】      （修正有）【課題】割安で施工が容易な支柱を提供する。【解決手段】縦杭に横腕を取り付けた十字形杭を、十字面が対向するよう２点間に打ち込み、対向する縦杭の上端部付近同士、及び、対向する横腕の両側端付近同士との間に紐を張り、また、個々の十字形杭の縦杭上端付近と横腕の両側端付近との間にも紐を張り、紐によって形成された屋根形をもって支柱としたもので、支柱材料費が著しく割安で、かつ、支柱構築作業も著しく簡単・迅速（１０分以内）である。【選択図】図３
0003135872.tif 000002
【実用新案登録請求の範囲】
【請求項１】
縦杭に横腕の中央が直角に交差するように取り付けた十字形杭を、トンネル作成又は屋根掛けをしようとする２点間の土中に十字面が対向するよう打ちに込み、対向する縦杭の上端付近同士、及び、対向する横腕の両側端付近同士との間に紐を張り、また、個々の十字形杭の縦杭の上端付近と横腕の両側端付近との間にも紐を張り、紐によって形成された屋根形を支柱としたことを特徴とするトンネル作成及び屋根掛けの簡易支柱。
【請求項２】
請求項１において、縦杭の上端付近及び横腕の両側端付近に、紐を結束するための、穴又は突起を設けて構成したことを特徴とする十字形杭。
【考案の詳細な説明】
【技術分野】
【０００１】  本考案は、防虫ネット、遮光ネット、防風ネット、寒冷紗、透明ビニールフイルム等を使用して、畑の畝上にトンネルや屋根を作る場合の簡易支柱に関する。
【背景技術】
【０００２】  現在防虫ネット、遮光ネット、防風ネット、寒冷紗、透明ビニールフイルム等の規格として、幅１．８ｍ前後、長さ５ｍもの及び１０ｍものあるいは任意の長さのものが市販されており、従来、これらを用いて畑の畝上にトンネルを作る場合は、畝上に半円形に加工されたトンネル杭を約６０ｃｍ間隔に立て、これを支柱としていた。また、トマト等の背の高い野菜に屋根掛けする場合は、畝の周囲に４本以上の背の高い杭を立てて畝を囲み、その上に屋根形を木組みして支柱としていた。
【考案の開示】
【考案が解決しようとする課題】
【０００３】  しかしながら、トンネルを作る場合は、トンネルの長さに比例して多数のトンネル杭を使用するので割高につき、また、屋根掛けする場合は、４本以上の背の高い杭と多数の屋根組材料を使用するので一層割高につくだけでなく、支柱構築には１時間以上の煩雑な作業を必要とする問題点があった。
【課題を解決するための手段】
【０００４】  １、  本考案は、縦杭に横腕の中央を直角に交差するよう取り付けた十字形杭を、トンネルを作成又は屋根掛けしようとする２点間の土中に、十字面が対向するよう打ち込み、対向する縦杭の上端付近同士、及び、対向する横腕の両側端付近同士との間に紐を張り、また、個々の十字形杭についても縦杭の上端付近と横腕の両側端付近との間にも紐を張り、紐によって形成された屋根形をトンネルや屋根を作る場合の簡易支柱とした。【０００５】  ２，  本考案の十字形杭は、縦杭の上端付近と横腕の両側端付近に、紐を結束するための穴又は突起を設けて構成した。
【考案の効果】
【０００６】  １，  本考案は、支柱材料として２本の十字形杭と若干の紐を使用するのみなので、材      料費が著しく割安である。
２，  本考案の支柱構築は２本の杭打ちと各突起の間に紐を張るのみであり、また、紐      張りも、縦杭や横腕に設けられた穴又は突起を利用して容易に行えるので、支柱構      築の作業が著しく簡単・迅速（約十分程度）に行えるようになった。
３，  本考案は、紐を張った直線で構成されるため、トンネルや屋根の出来上がりの形      状が良い。
【考案を実施するための最良の形態】
【０００７】  以下本考案の実施の形態を図面に基づいて説明する。
図１及び図２に示すように、縦杭１に横腕２を十字形に取り付け、さらに、縦杭１の上端付近に突起１ａ及び横腕２の両側端付近に突起２ａ、２ｂを設けて十字形杭を構成する。
３図に示すように、トンネルを構築しようとする２点間に十字形杭を打ち込み、各突起１ａ、２ａ、２ｂに紐３を張って、屋根形をした簡易支柱を構成する。
【実施例】
【０００８】  長さ９０ｃｍの縦杭１に、長さ７５ｃｍの横腕２を十字形に取り付け、縦杭１の上端付近に突起１ａと横腕２の両側端付近に突起２ａ，２ｂを設けて構成した十字形杭を２本を準備し、次に、十字形杭を長さ４ｍ幅７５ｃｍの畝の両端に、突起のない面を対向させて、４０ｃｍの深さに打ち込み、各突起１ａ，２ａ，２ｂに紐を張って、屋根形の簡易支柱を構成した。
そして、構成された屋根形の簡易支柱の四周を幅１．８ｍ、長さ６．４ｍの防虫ネット４で覆い、ネットの接地面を重石５で固定して、畝上に両端の閉塞された防虫ネットのトンネル４図を作り、このトンネル内に１１月キャベツを植えたところ、途中１０ｃｍ程度の積雪や、風速１５ｍ程度の強風の日はあったが、支柱はこれらに耐えて、翌年４月には、成熟したキャベツを収穫することが出来た。
【産業上の利用可能性】
【０００９】  本考案は、畑の畝上に防虫ネット，遮光ネット、防風ネット、寒冷紗、透明ビニールフイルム等のトンネル作成及びビニールフイルム等を使用する、トマト等背の高い野菜の屋根掛けに簡易支柱として広く利用できる。
【図面の簡単な説明】
【００１０】
【図１】  図１は十字杭の正面図である。
【図２】  図２は十字形杭の平面図である。
【図３】  図３は、２点間に十字形杭を立て、両十字形杭の全ての突起に紐を張ることによって出来た屋根形の簡易支柱の斜視図である。
【図４】  図４は本考案の簡易支柱を使用して作成した、両端が閉塞された防虫ネット・トンネルの斜視図である。
【符号の説明】
【００１１】  １      縦杭                        ２ｂ    突起
１ａ    突起                        ３      紐
２      横腕                        ４      防虫ネット
２ａ    突起                        ５      重石
【図１】
0003135872.tif 000003
【図２】
0003135872.tif 000004
【図３】
0003135872.tif 000005
【図４】
0003135872.tif 000006
(57)【要約】      （修正有）【課題】紙又は樹脂をフィルムで挟み加熱したものからなるパック式スイング広告板において、加工容易性と保存性に優れた広告板を提供する。【解決手段】紙又は樹脂等の広告面４を２枚重ねのフィルム７で挟み、ローラー式加熱圧着機（ラミネーター）や家庭用アイロン１０等で加熱させることで、加工の容易化と長期の保存性を実現する。【選択図】図３
0003135878.tif 000002
【実用新案登録請求の範囲】
【請求項１】
宣伝、広告等を表示する紙又は樹脂からなる広告表示物４を、曲成部６と表示部８が一体となった二枚のフィルム７で挟み、これを市販されているローラー式加熱圧着機（ラミネーター）や家庭用アイロン等を使用し接着させたものを、表示部８が被着体の前方に略逆Ｕ字状に曲成した形になるよう取付片５に両面テープ等を使用し、展示商品９に貼りつけることで上下左右に揺動するようになされたパック式スイング広告板。
【考案の詳細な説明】
【技術分野】
【０００１】本考案は、紙又は樹脂をフィルムで挟み加熱したものからなるパック式スイング広告板に関する。
【背景技術】
【０００２】僅かな外力によって揺動し、商品等の広告又は装飾等を助長する表示具として被貼付物に表示札を貼着して表示するものが開示されている（例えば、特許文献１を参照）。しかし、このような表示具は金属や紙製のものが多く、数少ない個数を配置するには高価であり製造に時間がかかってしまう又、汚れが付着した際の拭き取りが困難である。
【特許文献１】  実用新案登録  昭５４−１１８０９８  広報
【考案の開示】
【考案が解決しようとする課題】
【０００３】しかしながら、両端片の表面に粘着剤を塗布した腰の強い保持紙の一端片を被着体に貼着した従来の広告板は表示部に汚れが付着した場合、水や洗剤等を使用した拭き取りが困難であり剥離し易かった。更に、数少ない個数を配置するにはコストがかかる等の欠点があった。
【考案が解決するための手段】
【０００４】本考案の要旨とするところは、紙又は樹脂からなる広告表示板を該可撓性帯体を同一のフィルム二枚で表面と裏面の両側から挟み、加熱処理を施し貼付させることにより、該表示部と該可撓性帯体が一体化となる。更に該可撓性帯体が該表示部の自重で逆Ｕ字形に撓み、該表示部が該可撓性帯体の他端部から垂下して揺動するようにしたことで、従来の役割を果たし、表示部内の広告面を保護することで、上記課題を解決するものである。
【考案の効果】
【０００５】本考案に係るパック式スイング広告板は、広告面４を二枚のフィルム７で挟み覆い、市販されているローラー式加熱圧着機（ラミネーター）や家庭用アイロン１０等を使用することで、自身で容易に加工することができ、広告面の劣化を防ぎ長期使用に優れたものである。
【考案を実施するための最良の形態】
【０００６】図１に示すように、該可撓性帯体と該表示部は基材１であるポリエステルフィルムと糊層２のポリエチレン及び糊層３のエチレン酢酸ビニール共重合樹脂から構成する二枚向い合せのフィルム７となる。【０００７】図２に示すように、広告面４を二枚向い合せのフィルム７で挟み込む。【０００８】図３に示すように、広告面４とフィルム７が重なり合った状態で、これをローラー式加熱圧着機（ラミネーター）や家庭用アイロン１０等の温度１２０℃から１３０℃の間で通し加熱圧着を施す。【０００９】上記工程により完成した本考案のパック式スイング広告板は、図４に示すように商品棚９等へ、取付片５に両面テープ等を使用し、貼りつけることで上下左右に揺動する現象を生じる。この現象を見ることによって、消費者への訴求することができる。
【産業上の利用可能性】
【００１０】二枚重ねのフィルムを利用し、きわめて簡単に長期間の保存が可能な、スイング広告板として利用できる。
【図面の簡単な説明】
【００１０】
【図１】  本考案に係るパック式スイング広告板の素材における断面図である。
【図２】  本考案に係るパック式スイング広告板における挟み工程図である。
【図３】  図２の本考案のパック式スイング広告板における圧着加工を示す工程図である。
【図４】  図３の本考案のパック式スイング広告板が展示商品に貼付された状態を示す図である。
【符号の説明】
【００１１】      １    フィルム体の基材
２    フィルム体の糊層
３    フィルム体びの第２の糊層
４    広告面（紙又は樹脂等のラベル）
５    取付片
６    可撓性帯体部
７    フィルム体
８    表示部
９    展示商品
１０  アイロン
【図１】
0003135878.tif 000003
【図２】
0003135878.tif 000004
【図３】
0003135878.tif 000005
【図４】
0003135878.tif 000006
(57)【要約】【課題】  安価で手軽に楽しめ、浮き上がる立体像まで任意で選べる立体像表現装置を提供することを課題とする。【解決手段】  凹面鏡台部と凹面鏡蓋部が対面に重なるように形成され、その重なり合った内部が空洞になっている本体において、凹面鏡台部の中心付近に立体像を置き、凹面鏡蓋部を被せることで凹面鏡蓋部中央の開口部である穴上に該立体像の虚像が浮かび上がることを特徴とする【選択図】図２
0003135876.tif 000002
【実用新案登録請求の範囲】
【請求項１】
凹面鏡台部と凹面鏡蓋部が対面に重なるように形成され、その重なり合った内部が空洞になっている本体において、凹面鏡台部の中心付近に立体像を置き、凹面鏡蓋部を被せると凹面鏡蓋部中央の開口部である穴から該立体像の虚像が浮かび上がることを特徴とする立体像表現装置。
【請求項２】
請求項１において、凹面鏡台部と凹面鏡蓋部の内面が鏡面であることを特徴とする立体像表現装置。
【請求項３】
請求項１又は請求項２において、凹面鏡台部と凹面鏡蓋部の外面がつや消しになっていることを特徴とする立体像表現装置。
【考案の詳細な説明】
【技術分野】
【０００１】  本考案は、立体像が浮き出て見える表現装置に関するものである。
【背景技術】
【０００２】  立体像が浮き出て見える装置として、従来からホログラフィーを用いたものや３Ｄカメラを用いた装置等が知られている。【０００３】  また、特開平１１−１４９３４号広報には凹面鏡を１つ用いて立体像が浮き出て見える装置が開示されている。【０００４】  ホログラフィーを用いたものや３Ｄカメラを用いた装置等は、複雑な構造のものが多く、安価なものではない為、手軽に楽しめる要素を欠いていた。【０００５】  凹面鏡を１つ用いる方法では、予め本体内部に糸で立体物を吊るして固定しておかなければならず、立体物を容易に取り替えることができない為、自分で簡単に様々な立体物を浮き上がらせることが出来ない点で面白みに欠けていた。
【特許文献１】特開平１１−１４９３４号
【考案の開示】
【考案が解決しようとする課題】
【０００６】  そこで、本考案は上記従来技術にかかる問題点に鑑みなされたもので、安価で手軽に楽しめ、浮き上がる立体像まで任意で取り替えることができる立体像表現装置を提供することを課題とする。
【課題を解決するための手段】
【０００７】  本考案の表現装置は、中央部に穴を有する凹面鏡蓋部と穴を有さない凹面鏡台部を２つ組合せ、対面する凹面鏡は取り外しを可能にし、内面が鏡面になった内部が空洞になっていることで凹面鏡台部の中央付近に置いた立体物が鏡の反射作用により、凹面鏡蓋部の穴よりあたかも立体像がそこに有るかのように浮き上がって見える。【０００８】  また、凹面鏡の外面の色彩は何色でも構わないが、つや消しにすることで、より立体物を鮮明にすることが可能となる。
【考案の効果】
【０００９】  本考案により、浮き上がらせたい立体像を自由に取り替えることが出来、その立体像を鮮明にすることが可能となる。従って、ディスプレイ装置、玩具、インテリア、教材等に利用が可能となる。
【考案を実施するための最良の形態】
【００１０】  以下、本考案の実施の形態を図面によって説明する。本考案の本体は、図１のように凹面鏡蓋部と凹面鏡台部が対面に重なるように形成され、その内部は空洞である。凹面鏡蓋部の中央には開口部である穴を設けている。凹面鏡蓋部と凹面鏡台部はプラスチック、金属、樹脂等の素材からなり、内面は鏡面になっている。
【実施例１】
【００１１】  本考案を使用するときは、凹面鏡底部３の中央に任意の立体像４を置き、凹面鏡蓋部２で覆うと、図２のように外部からは立体像４は見えなくなるが、その立体虚像５が凹面鏡蓋部２の中央穴上に鮮明に浮かび上がって見える。これは鏡の反射作用により凹面鏡蓋部２の中央穴上に立体虚像５が集約されるためである。
そして、見る角度は、本体に対して上斜め４５度付近がもっとも鮮明に浮かび上がって見える。【００１２】  なお、穴６の大きさは本体の直径の４分の１程度が望ましい。
また、凹面鏡台部３に置く立体像は穴６の直径以下が望ましい。
さらに、凹面鏡台部３に置く立体像の高さは、図１に示す立体虚像５底部から立体像４底部までの長さの２分の１以下が望ましい。【００１３】  本体の外観形状は、図２のように円盤状にする場合、支持台やクッションの上に設置すると安定する。また、内部形状が図１のような断面を有していれば、箱型や具象型等でも構わない。【００１４】  中に入れる立体像は、宝石、人形、コイン等が適当である。また、飴やチョコレート等のお菓子を入れて子供を驚嘆させることに用いることもできる。
【図面の簡単な説明】
【００１５】
【図１】本考案の立体像表現装置断面図
【図２】本考案の立体像表現装置実施例図
【図３】本考案の立体像表現装置正面図
【符号の説明】
【００１６】１  本体
２  凹面鏡蓋部
３  凹面鏡台部
４  立体像
５  立体虚像
６  穴
【図１】
0003135876.tif 000003
【図２】
0003135876.tif 000004
【図３】
0003135876.tif 000005
(57)【要約】【課題】  葬儀用の供物に関する、参列者や遺族の負担を低減すること。【解決手段】  果物や缶詰の類を、花とともに一つのセットとして、まとめて葬儀用の供物とする。具体的には、従来生花などの飾り付けに用いていたものを改造したスタンド５に、果物２及び缶詰３の少なくともいずれかと、花４を一緒に積載する。これによって従来別個に供えていた場合に比べて、経済的な負担や、整理に要する負担を軽減することができる。【選択図】図１
0003135879.tif 000002
【実用新案登録請求の範囲】
【請求項１】
スタンドに、果物及び缶詰の少なくともいずれかと、花を積載したことを特徴とする、葬儀用の供物。
【考案の詳細な説明】
【技術分野】
【０００１】  本考案は、葬儀用の供物に関し、特に生花、果物、缶詰などを組み合わせた葬儀用の供物に関するものである。
【背景技術】
【０００２】  核家族化の進行に伴い、従来の墓に対する考え方が変化し、散骨、樹木葬などに代表されるように、近年埋葬の方法の選択肢が増加する傾向がある。葬儀についても同様であり、故人と生前親交のあった限られた会葬者のみで葬儀を執り行う家族葬のような形式が望まれることが増加している。【０００３】  しかしながら、世間の慣行を重視し、従来と同様に行われる葬儀も件数が極端に減少することは考え難く、特に我が国においては、高齢化社会の現出により、むしろ従来の形式の葬儀件数は今後も増加すると推定される。【０００４】  葬儀に際しては、どのような宗教、どのような宗派においても現金や花、果物などを供えるのが一般的であり、故人との縁が深い人の場合では、現金の他に、生花や果物を別個に供えることもある。【０００５】  このような場合、供える方の経済的な負担などが大きくなるが、遺族の側も、葬儀終了後の整理などに労力を要し、負担の増加に繋がる。
【考案の開示】
【考案が解決しようとする課題】
【０００６】  本考案の課題は、葬儀用の供物に関する、参列者や遺族の、前記のような負担増を低減することにある。
【課題を解決するための手段】
【０００７】  本考案は、花や果物、缶詰の類を一つのセットとしてまとめて葬儀用の供物とすることを検討した結果なされたものであり、スタンドに、果物及び缶詰の少なくともいずれかと、花を積載したことを特徴とする。
【考案の効果】
【０００８】  本考案によれば、供物を贈る側の会葬者においては、花や果物などを個別に発注または購入する必要がなくなるため、経済的な負担の他に、煩わしい手続きがなくなるという利点がある。また、遺族の側においても、供物と会葬者名の照合の手間などの負担の軽減になる。
【考案を実施するための最良の形態】
【０００９】  本考案のおいては、花を活けるための容器と果物や缶詰を積載するための受け皿を備えたスタンドが用いられる。花としては生花または造花を用いることができる。また、受け皿には、果物と缶詰を同時に積載することが可能であるが、当然のことながら、果物または缶詰のみを個別に積載することもできる。
【実施例１】
【００１０】  次に具体的な実施例を挙げ、本考案の実施の形態について詳しく説明する。図１は本考案の葬儀用供物の一例を示す図であり、１は名札、２は果物、３は缶詰、４は花、５はスタンドである。図１に示したように、本実施例においては中央部の上方に果物と缶詰を積載し、その周囲を花で囲い、さらにスタンドの正面側にも花を飾り、スタンドの脚部が見えないように隠蔽している。【００１１】  本実施例では、中央部の上方に果物及び缶詰を積載してあるが、果物と缶詰の何れか一方でも、葬儀用の供物として使用できる。また花は生花を飾るのが一般的であるが、見栄えの向上を目的として、適宜造花を用いることもできるし、生花と造花を組み合わせて用いることもできる。【００１２】  以上に説明したように、本考案によれば果物及び缶詰の少なくともいずれかと花とを飾り付けた葬儀用の供物を提供することができる。これによって参列者や遺族の負低減することが可能となり、社会へ資するところは大きいと言える。なお、本考案は、前記具体例に限定されるものではなく、本考案の要旨を逸脱しない範囲の設計変更があっても本発明に含まれる。即ち、本考案の属する技術の分野のおける通常の知識を有する者であれば、なし得るであろう各種変形、修正を含むことは勿論である。
【図面の簡単な説明】
【００１３】
【図１】  本考案の葬儀用供物の一例を示す図。
【符号の説明】
【００１４】  １  名札
２  果物
３  缶詰
４  花
５  スタンド
【図１】
0003135879.tif 000003
(57)【要約】      （修正有）【課題】液体ノズル、エアノズルを夫々別部品として提供し、目的に応じて選択組み合わせし、組み立てて使用するブローノズルを提供する。【解決手段】ノズル先から吐出する液状物を圧縮エアで吹き、粒状にして塗布するブローノズルは、液体ノズル、エアノズルの２種のノズルを通常一体に成形し、ブローノズルとして提供され、所要の塗布パターン、液体の粘度等に合わせて選択する。一体に成形のブローノズルは高価で、選択に技術、経験を要する。【選択図】図１
0003135874.tif 000002
【実用新案登録請求の範囲】
【請求項１】
外ノズル２、内ノズル３を同心にし、外アダプタ４、内アダプタ５に夫々着脱自在に装着し、外アダプタ４は調整ボデイ６に固着し、内アダプタ５は主ボデイ７に固着し、主ボデイ７は内アダプタ５に連通する管路８と、内アダプタ５の外側に連通する管路９を設け、管路８の配管継ぎ手１０、管路９の配管継ぎ手１１を設置し、調整ボデイ６の内部空間１４は、管路９と内アダプタ５を連通したことを特徴とするブローノズル。
【請求項２】
吐出量、吐出速度を数値設定する液体供給装置と請求項１のブローノズルとで構成することを特徴とする液体吐出装置。
【考案の詳細な説明】
【技術分野】
【０１】薬液、塗料、インク、絵の具、ペースト等液状物を粒状にして塗布するブローノズルとその装置。絵画描画用エアブラシ、塗装ガン、消毒液等の塗布装置等。
【背景技術】
【０２】ノズル先から吐出する液状物を圧縮エアで吹き、粒状にして塗布するブローノズルは、液体ノズル、エアノズルの２種のノズルを通常一体に成形し、ブローノズルとして提供され、所要の塗布パターン、液体の粘度等に合わせて選択する。一体に成形のブローノズルは高価で、選択に技術、経験を要する。【０３】前記ブローノズルに液体を供給するには、エアの吹き出す勢いで液体ノズル内が負圧になり、液体タンク内の液を吸い出す。或は液体タンク内を加圧し、強制的に液を送り出す。一定の塗布形状、皮膜厚さを得ようとすると、液の粘度管理、ノズルの清掃等が必要である。
【発明が解決しようとする課題】
【０４】液体ノズル、エアノズルを安価に提供し、容易に交換できる様にし、さらに多様な塗布パターンを容易に得られるようにする。
【課題を解決するための手段】
【０５】液体ノズル、エアノズルを夫々別部品として提供し、目的に応じて選択組み合わせし、組み立てて使用するブローノズルを提供する。
【０６】液体を定量、定速で供給して液体ノズル、エアノズルの選択を容易にする。
【実施例１】
【０７】ブローノズル１は外ノズル２、内ノズル３を同心にして、外アダプタ４、内アダプタ５に夫々着脱自在に装着される。外アダプタ４は調整ボデイ６に固着する。内アダプタ５は主ボデイ７に固着する。主ボデイ７は内アダプタ５に連通する管路８と、内アダプタ５の外側に連通する管路９を設け、管路８の配管継ぎ手１０、管路９の配管継ぎ手１１を設置する。【０８】調整ボデイ６は主ボデイ７にネジ１２で嵌合し、外周に目盛１３を刻設する。調整ボデイ６の内部空間１４は、管路９と内アダプタ５を連通する。【０９】配管継ぎ手１０に液体供給装置１５を連結し、配管継ぎ手１１に圧縮空気供給装置１６を連結する。
【作用】
【１０】液体供給装置１５より液体を送ると内ノズル３から吐出する。同時に圧縮空気供給装置１６より圧縮空気を送ると外ノズル２から吐出すると共に内ノズル３から吐出した液を霧化する。外ノズル２、内ノズル３の管径、形状を選択して霧化パターンを得る。
【１１】調整ボデイ６を回転さすと、ネジ１２に沿って移動し、外ノズル２、内ノズル３の先端位置を微細に調整する。回転位置は目盛１３で読み取る。この調整で霧化パターンを変化さす。
【効果】
【１２】外ノズル２、内ノズル３を市販吐出針とし安価に提供できる。市販吐出針は管径を数値記号で表示しているので、組み合わせパターンを数値記号化できる。その時の塗布パターンとあわせて数値記号化して管理が容易にできる。
【１３】調整ボデイ６の回転や、外ノズル２、内ノズル３の形状を変えて、霧化パターンの多様化をはかれる。
【１４】外ノズル２、内ノズル３の管径の変更が容易であり、粘度の高い液には太いもの、粘度の低い液には細いものを容易に適応できる。絵柄を描画するエアブラシで、インク、塗料等粘度が異なってもノズル交換のみで対応できる。
【１５】外ノズル２側に液体を、内ノズル３側に圧縮空気を供給して霧化パターンを変えられる。入れ換えは配管継ぎ手１０、配管継ぎ手１１での配管の入れ換えのみでよい。
【実施例２】
【１６】実施例１の液体供給装置１５の液の供給方式は特に限定していないが、実施例２では、シリンジポンプ等吐出量、吐出速度を数値設定できるものとし、さらに圧縮空気供給装置１６の圧縮空気の圧力、流量も数値設定できるものとする。【１７】ブローノズルの構成、液体供給装置、圧縮空気供給装置の供給量の全てを数値化し、塗布パターンの数値化を合わせてコンピューター管理を可能にする。【１８】エアブラシの液供給は、エアの吹き出しによる負圧で吸引するため液量の調節が難しいものであるが、定量供給すると微小な量もブロー塗布できる。【１９】塗布量を正確に管理できるため新しい工法、用法が開発できる。例えば液晶パネルの液晶塗布、スペーサー塗布、医療用皮膚用新薬の塗布、これらの塗布条件を決定するための試験機等である。【２０】圧縮空気の温度を高くして塗布液の硬化、乾燥を速められる。吐出量、圧縮空気の圧力、流量、温度を精密に設定、管理すると噴霧液を正確な寸法の粒状に硬化することが可能。
【図面の簡単な説明】
【２１】
【図１】実施例１の断面図
【符号の説明】
【２２】１：ブローノズル  ２：外ノズル  ３：内ノズル３  ４：外アダプタ  ５：外アダプタ  ６：調整ボデイ  ７：主ボデイ７  ８：管路  １５：液体定量吐出装置  １６：圧縮空気供給装置
【図１】
0003135874.tif 000003
(57)【要約】      （修正有）【課題】焼却処理などにより発生する煙、におい、ダイオキシン類などを完全燃焼反応により除去する。【解決手段】焼却排煙部に設置した２重円筒２，３の間に、中心軸方向より変位させた位置にバーナー４を設定して火炎９を放射させ、処理すべきガスと高温の火炎が２重円筒管部を旋回しつつ燃焼反応を生じさせて処理部を通過させ、焼却処理により発生した煙、におい、ダイオキシン類などを完全燃焼反応により除去するようにした。【選択図】図１
0003135871.tif 000002
【実用新案登録請求の範囲】
【請求項１】
焼却等において発生した煙を処理するために、二重円筒の円筒間に火炎を放出するバーナーの方向を中心軸より偏移して設け、排煙が旋回しつつ火炎部を通過するように構成した排煙処理装置
【考案の詳細な説明】
【技術分野】
【０００１】  本考案は、焼却炉などから排出される煙もしくは排ガスを処理するための排煙処理装置に関するものである。
【背景技術】
【０００２】  家庭ごみや産業廃棄物、医療廃棄物などを焼却処理するための焼却炉を簡易な構成で使用すると、燃焼が不十分で、煙、臭い、あるいはダイオキシン類の発生を引き起こす可能性があり、環境保全の観点から望ましくない。
【考案の開示】
【考案が解決しようとする課題】
【０００３】  排煙において、煙、臭い、あるいはダイオキシン類の発生を引き起こす可能性があるのは、燃焼反応が不十分であるためである。燃焼促進のため、単にバーナーの火炎を増設しただけでは、一部の排煙は燃焼されても、例えば炎から離れた部分では反応が十分ではない。本考案は、煙突部の排煙、排ガスを完全に燃焼処理することにより、この問題を解決しようとするものである。
【課題を解決するための手段】
【０００４】  本考案は、排煙部の燃焼反応を完全にするために、煙突部分に排煙処理部として、二重円筒の円筒間に火炎を放出するバーナーを設け、排煙ガスが旋回しつつ火炎部を通過するように構成することにより反応を完全なものにして課題を解決している。
【考案の効果】
【０００５】  上述のように、本考案は、排煙部の燃焼反応を完全なものにするために、煙突部分に排煙処理部を設けたので、排煙において、煙、臭い、さらにダイオキシン類ガスの発生のない焼却処理が可能となる。
【実施例】
【０００６】  以下、添付図面に従って実施例を説明する。１は排煙処理部の外壁円筒部、２および３は排煙処理を行う為の２重円筒部であり、２および３の間の円環状部分において排ガスが処理される。４は燃焼反応を生じさせて排煙処理するためのバーナー部であり、５は燃料および酸素（もしくは空気）の供給部であり、図示されていない供給源にホースなどで接続される。６は処理すべき排煙（排ガス）が吸入される吸入口である。７ａは焼却部本体の排煙部への結合部品である。７ｂは処理された排ガスを導くための煙突への接続部品である。処理された排ガスは８の放出口から煙突部へ放出される。バーナー４は円筒２，３の中心軸に対して偏心させた位置に取り付けてあり、放射された火炎９は円筒部３の外周および円筒部２の内周を旋回しながら上昇する。円筒２および３が火炎９によって約８００℃から１０００℃程度に加熱される。排煙処理部の構成材料として鉄系の材料を用いたが、２および３は高温になるので、例えば、セラミックスなどの耐火性材料を用いる方が耐久性の点から好ましい。焼却部本体から排出される排ガスは６より処理部へ供給され、バーナーの火炎９に混合されて、完全燃焼反応して、煙、におい、ダイオキシン類が処理される。バーナー４の周囲は間隙を設けており、燃焼のための空気を流入するようにしており、これはバーナー部９の過熱防止にも役立っている。空気の取り込み量は焼却部との関係で全体量を制御できるように別途構成する。【０００７】  本実施例ではバーナーの燃料および酸素として、酸素と水素の混合ガスを用いた。本混合ガスは、水を電気分解して発生させる水素ガスと酸素ガスを分離せずに混合状態で取り出し、貯蔵せずに、製造と同時にその場で使用するものである。このような酸水素混合ガス発生装置を用いれば、燃料貯蔵設備やガスボンベなどを必要せずに、商用電源のみで運用することができる。また、燃料ガスを貯蔵しないので、爆発などの危険性もなく安全である。【０００８】  処理すべき排ガスは高温の火炎９に混合されて、高温の空間である円筒２および３の間を何度も旋回しながら処理部を通過するようにしたので、燃焼反応を十分なものにし、煙、臭い、さらにダイオキシン類ガスの発生のない処理が可能になり、かつ排煙処理部の小型化を図ることができる。
【図面の簡単な説明】
【０００９】
【図１】本考案の排煙処理装置の一実施例を示す正面断面図である。
【図２】本排煙処理装置の平面断面図である。
【符号の説明】
【００１０】１  排煙処理部の外壁円筒
２  排煙処理円筒（第１）
３  排煙処理円筒（第２）
４  バーナー
５  燃料および酸素供給部
６  吸入口
７  結合部品
８  排出口
９  火炎
【図１】
0003135871.tif 000003
【図２】
0003135871.tif 000004